(57)【特許請求の範囲】
【請求項１】
接着剤層、金属層及び遮熱層が順次積層されてなる固定具であって、該固定具が円盤状であってその中心部に貫通孔が設けられており、かつ遮熱層の直径が金属層の直径より大きいシート固定具。
【請求項２】
遮熱層が紙、木質系板、合成ゴム系板、無機質系板または熱硬化性樹脂板からなり、かつ厚みが０．６〜２．０ｍｍである請求項１に記載のシート固定具。
【請求項３】
断熱防水施工面の全面に亘って該施工面を覆う断熱材を設置し、更に該断熱材の上に防水シートを被覆する断熱防水施工法において、断熱材の所要部分を請求項１または２に記載のシート固定具及び該固定具の貫通孔を貫通するビスによって施工面に固定し、次に該断熱材上に該固定具を介して防水シートを被覆し、該防水シートの上から高周波加熱することにより該固定具を加熱して、この熱により溶けた接着剤層でもって該防水シートを施工面に固定する断熱防水施工法。
【発明の詳細な説明】
【０００１】
【発明の属する技術分野】
本発明は、防水シート及び断熱材等を屋上等の施工面に固定するために好適に用いられるシート固定具及び該固定具を用いた断熱防水施工法に関する。
【０００２】
【従来の技術】
屋上等の断熱防水施工工事に用いられる防水材及び断熱材として、従来より防水材としては合成ゴム製シート、塩化ビニル樹脂製シートが、また断熱材としては発泡ポリスチレン製シートや発泡ポリウレタン製シート等が用いられており、特に塩化ビニル樹脂製シートは、耐候性に優れる、施工時に火を使わないでよい、施工が簡単、工期が短い等の長所があるため防水シートとして多用されている。
【０００３】
防水シート及び断熱材を用いた断熱防水施工工事には、建物の屋上等の施工面上に断熱材と防水シートを順次敷き詰め、断熱材及び防水シートの上から押え金具と頭付きビス等でもってこれらを施工面上に固定する方法がある。また、金属板に接着剤を塗布してなる固定具を用い、表面にアルミシートを貼り合わせた断熱材を施工面に固定した上で、その上に該固定具を介して防水シートを敷き詰め、該防水シートの上から高周波加熱により該固定具を加熱してこの熱により溶けた該接着剤でもって防水シートを施工面に固定する方法がある。
しかしながら、前者は防水シートに穴を空けるため、該穴から水が入り込む恐れがあり、また後者は、高周波加熱により固定具を加熱すると、断熱材が発泡ポリスチレンや発泡ポリウレタン樹脂からなる場合には、固定具の熱により断熱材が溶融、破損し、断熱材及び防水シートの固定強度に大きな影響を与える恐れがあった。また、断熱材への固定具の熱の影響を防ぐために、断熱材として例えば発泡ポリスチレン製断熱材の表面に面材を複合したものを使用するという方法もあるが、コスト高に繋がるという問題があった。
【０００４】
【発明が解決しようとする課題】
本発明者等は、現場作業が容易であり、かつ従来の断熱防水施工法に用いられた発泡ポリスチレン製断熱材を用いた場合でも、高周波加熱によって、防水シート及び断熱材を破損することなく施工面に強固に固定することができる施工法について鋭意検討した結果、特定の固定具を用いることにより上述の目的を達しうることを見い出し本発明をなすに到った 。
【０００５】
【課題を解決するための手段】
すなわち、本発明の要旨は、（１）接着剤層、金属層及び遮熱層が順次積層されてなる固定具であって、該固定具が円盤状であってその中心部に貫通孔が設けられており、かつ遮熱層の直径が金属層の直径より大きいシート固定具、（２）遮熱層が紙、木質系板、合成ゴム系板、無機質系板または熱硬化性樹脂板からなり、かつ厚みが０．６〜２．０ｍｍである前記（１）に記載のシート固定具及び（３） 断熱防水施工面の全面に亘って該施工面を覆う断熱材を設置し、更に該断熱材の上に防水シートを被覆する断熱防水施工法において、断熱材の所要部分を前記（１）または（２）に記載のシート固定具及び該固定具の貫通孔を貫通するビスによって施工面に固定し、次に該断熱材上に該固定具を介して防水シートを被覆し、該防水シートの上から高周波加熱することにより該固定具を加熱して、この熱により溶けた接着剤層でもって該防水シートを施工面に固定する断熱防水施工法に存する。
【０００６】
【発明の実施の形態】
以下、本発明を図１〜３を例に用いて詳細に説明する。
【０００７】
図1は、本発明のシート固定具の一例を示す平面図、図２は、図１のシート固定具をＡ−Ａ線で切った際の断面図、図３は、図１のシート固定具を用いた防水シート及び断熱材の固定構造を示す断面図である。
【０００８】
シート固定具１は、接着剤層２、金属層３、遮熱層４が順次積層されてなり、その中心部には貫通孔６を有している。遮熱層４は、金属層３と接している側のの面積が、金属層３の遮熱層４に接している側の面積より大きい方が好ましい。
【０００９】
また、シート固定具１は円盤状であるのが好ましく、その際、遮熱層の直径が金属層の直径より大きいもの、特に金属層より直径が１〜２０ｍｍ大きいものがよい。また、貫通孔６は直径２〜７ｍｍであるのが好ましい。
金属層３としては、ステンレス鋼板または亜鉛メッキ鋼板からなるものが好ましく、更に金属層は中心部及び周辺部分にプレス加工により各々リブ、フランジが形成されており、それらの下側端面が同一面上にあることが好ましい（図２）。また、金属層３の厚さは、特に限定されるものではないが、０．５〜１．５ｍｍ、好ましくは０．６〜１．０ｍｍであるのがよい。更に金属層が円盤状である場合は、その直径が７０〜９５ｍｍ、好ましくは８０〜９０ｍｍであるのがよい。
【００１０】
接着剤層２の接着剤としては、高周波加熱等により溶けて接着性を発揮するものがよく、且つ熱によって分解等して接着強度に影響を生じることがないものが好ましい。このようなものとしては例えば、ポリエステル系樹脂、アクリル系樹脂や塩化ビニル系樹脂等の熱可塑性樹脂が挙げられる。接着剤層２は金属層３上に塗布して形成しても、またフィルム状のものを金属層３上に積層して形成してもよい。接着剤層２の厚さは、特に限定されるものではないが、通常０．０１〜０．５ｍｍ程度である。
遮熱層４は、耐熱性がある素材なら特に限定されるものではないが、加工性・強度を考慮すると、例えば紙、木質系板、スレート板等の無機質系板、発泡ポリウレタン、ベークライトやメラミン等の熱硬化性樹脂からなる熱硬化性樹脂板及び合成ゴム板等が挙げられる。これらの内でも、加工性、コストを考慮すると紙が好ましい。
【００１１】
遮熱層４の厚さは、０．６〜２．０ｍｍであるのが好ましい。
【００１２】
更に、金属層３と遮熱層４との間には、接着剤層または粘着剤層があってもよい。この際、接着剤としては上述の接着剤層２において挙げたものを用いることができる。粘着剤としては、ポリビニルエーテル系、ポリイソブチレン系、ＳＢＲ系及びブチルゴム系粘着剤等が挙げられる。
【００１３】
本発明のシート固定具１で固定される防水シート７としては、塩化ビニル樹脂等の合成樹脂からなるシート、合成樹脂からなるシートと繊維織布を積層してなるシート等が挙げられる。中でも塩化ビニル樹脂製シートからなるものが好ましい。
【００１４】
また、シート固定具１で固定される断熱材５としては発泡ポリスチレン樹脂、発泡ポリウレタン樹脂からなる断熱材等が挙げられる。
【００１５】
本発明のシート固定具１は、例えば、次のように使用される。図３に示すように、施工面全面に断熱材５を設置した後、該断熱材５上の所要箇所にシート固定具１を設置し、該固定具１の貫通孔６から、ビス、好ましくは該貫通孔６より径の大きい頭部を有する頭付きビス１０を貫通させ、シート固定具１とビス１０でもって断熱材５を施工面８に固定する。なお、施工面８に、予め電気ドリル等で削孔しておき、該孔にプラグを差し込んだ後ビスを該プラグにねじ込むようにすると、耐久性の点で好ましい。また、ビスの代わりに金属プラグ打込みアンカーを孔に差し込んで断熱材５を固定してもよく、孔を設けず直に施工面８にピンアンカー等を打ち込むことにより断熱材５を固定してもよい。次に、シート固定具１を介して断熱材５上に防水シート７を被覆し、防水シート７の上から高周波加熱することによりシート固定具１を加熱して、この熱により溶けた接着剤層２でもって防水シート７を施工面８に固定することにより断熱防水施工が行われる。この際、加熱された金属層３による断熱材５の溶解、破損等は遮熱層４によって防止される。
【００１６】
なお、必要に応じ断熱材５とシート固定具１との間に緩衝用補助シート９があってもよく、その場合、緩衝用補助シート９の上からシート固定具１と頭付きビス１０でもってこれらのシートを施工面８に固定する。緩衝用補助シート９としてはポリエチレンワリフとポリエチレン発泡シートとの積層体からなるものが挙げられる。
【００１７】
【発明の効果】
本発明のシート固定具を用いれば、断熱材等を熱損傷することなく防水シート及び断熱材を施工面に固定することができ、また施工も簡単なため作業性が向上する。
【図面の簡単な説明】
【図１】本発明のシート固定具の一例を示す平面図
【図２】図１のシート固定具をＡ−Ａ線で切った際の断面図
【図３】図１のシート固定具を用いた防水シート及び断熱材の固定構造を示す断面図
【符号の説明】
１  シート固定具
２  接着剤層
３  金属層
４  遮熱層
５  断熱材
６  貫通孔
７  防水シート
８  施工面
９  緩衝用補助シート
１０  頭付きビス
【図１】
0004641687.tif 000002
【図２】
0004641687.tif 000003
【図３】
0004641687.tif 000004